(57)【要約】本発明は男性小便用トイレットペーパーを製造する方法に関し、さらに詳しくは、トイレットペーパーの中央部の所定の位置に直径または長さが２〜４ｃｍの大きさの孔２、５を開けることを特徴とする男性小便用トイレットペーパーを製造する方法に関する。本発明の男性小便用トイレットペーパーは、男性が小便をする時、小便用トイレットペーパー１、３に開けた孔２、５に陰茎を２〜３ｃｍ程度入れた後、小便用トイレットペーパー１、３で陰茎を内側へ包んで小便をして、各種有害菌に汚染された指が陰茎に直接触れないようにすることができる。小便をした後には、小便をする時陰茎を包んだ小便用トイレットペーパー１、３で陰茎についている小便滴と小便水気を拭いて陰茎、指、下着を常に衛生的で且つ清潔に保持することができる。
2011510737.tif 000002
【特許請求の範囲】
【請求項１】
四角形のトイレットペーパーにおいて、
四角形のトイレットペーパーの中央部に直径または長さが２〜４ｃｍの大きさの孔を開けることを特徴とする男性小便用トイレットペーパーを製造する方法。
【請求項２】
ロールペーパーにおいて、
ロールペーパーを巻く方向に５〜３０ｃｍごとに直径または長さが２〜４ｃｍの大きさの孔を開けることを特徴とする男性小便用トイレットペーパーを製造する方法。
【発明の詳細な説明】
【技術分野】
【０００１】
本発明は男性小便用トイレットペーパーを製造する方法に関し、さらに詳しくは、トイレットペーパーの中央部の所定位置に直径または長さが２〜４ｃｍの大きさの孔２、５を開けることを特徴とする男性小便用トイレットペーパーを製造する方法に関する。
【背景技術】
【０００２】
トイレットペーパーは、１８５７年頃、アメリカで一杖ずつのトイレットペーパーを開発して、ロールペーパー、ボックスティッシュ、紙タオル及び ウエットティッシュなどに発展して来た。従来、トイレットペーパーは男性と女性が共に使用しており、従来には男性が小便する時使う男性小便用トイレットペーパーはなかった。
【発明の概要】
【発明が解決しようとする課題】
【０００３】
本発明が解決しようとする技術課題は、男性が小便をする前に手をきれいに洗って汚染されていないきれいな指で陰茎を取って小便をしなければならないが、各種有害菌に汚染された指で陰茎を取って小便をすることにより、指に汚染された多くの有害菌が陰茎につくようになり、且つ小便をした後には陰茎の先端部分に残っている小便滴と小便水気を完全に取らなくて小便滴と小便水気が陰茎と下着についてしまい、陰茎と下着が不潔になり、悪臭がすることを解決することにある。
【０００４】
本発明は男性が小便をする時汚染された指が陰茎に直接触れないように、指が触れる陰茎部分を小便用トイレットペーパーで包み、小便をした後には陰茎についている小便滴と小便水気を小便用トイレットペーパーで拭いて、陰茎、指、下着を常に清潔に保持することができる男性小便用トイレットペーパーを製造することにある。
【課題を解決するための手段】
【０００５】
男性が小便をする時小便用トイレットペーパーの中央部の所定位置に開けた所定の大きさの孔２、５に陰茎を２〜３ｃｍ程図入れた後、小便用トイレットペーパーで陰茎を内側に包んで小便をすることによって、有害菌に汚染された指が陰茎に直接触れないようにして、小便をした後には陰茎を包んだ小便用トイレットペーパー１、３で陰茎についている小便滴と小便水気を拭くことができるように四角形のトイレットペーパー１とロールペーパー３の中央部の所定位置に直径または長さが２〜４ｃｍの大きさの孔２、５を開けることを特徴とする男性小便用トイレットペーパー１、３の製造を課題の解決手段とする。
【発明の効果】
【０００６】
従来には、男性が小便をする時、各種有害菌に汚染された指で陰茎を取って小便をしたが、本発明は男性が小便をする時、有害菌に汚染された指が陰茎に直接触れないように本発明の小便用トイレットペーパーで陰茎を包み、小便をした後には陰茎を包んだ小便用トイレットペーパーで陰茎についている小便滴と小便水気を拭いて陰茎、指、下着が不潔になって悪臭がすることを防止し、陰茎、指、下着を常に衛生的で且つ清潔に保持する效果を奏する。
【０００７】
本発明は男性が小便をする時と小便をした後に、陰茎、指、下着を常に衛生的で且つ清潔に保持する習慣を有するようにする效果を奏する。
【図面の簡単な説明】
【０００８】
【図１】本発明による四角形のトイレットペーパーの平面図。
【図２】本発明によるロールペーパ斜視図。
【発明を実施するための形態】
【０００９】
本発明を実施するための具体的な内容は添付図面を参照して詳しく説明する。図１は本発明による男性小便用四角形のトイレットペーパー１の平面図であり、図２は本発明による男性小便用ロールペーパー３の斜視図である。
【００１０】
細菌は人間に有益な有用菌と有害な有害菌がある。有害菌は各種疾病を引き起こす細菌である。人体に有害な微生物の中には細菌、ウイルスなどがあり、大部分の感染症は有害菌によるもので、人体のすべての機関に感染されることができる。人体に有害菌が侵入すると、基本的に人体の免疫係で防御するが、防御できないと人体に疾患が発生する。
【００１１】
多くの男性が小便をする時このような各種有害菌に汚染され得る指で陰茎を取って小便をするが、小便をする時、汚染された指が陰茎に直接触れないように、指が触れる陰茎部分を本発明の小便用トイレットペーパー１、３で包み、小便をした後に陰茎を包んだ小便用トイレットペーパー１、３で陰茎についている小便滴と小便水気を拭いて、陰茎、指、下着を常に清潔に保持する。
【００１２】
本発明の男性小便用トイレットペーパー１、３を利用して陰茎を包んで小便をする方法は、小便用トイレットペーパー１、３の中央部に開けた孔２、５に陰茎を２〜３ｃｍ程度入れた後、小便用トイレットペーパー１、３で陰茎を内側へ包んで小便をする方法である。小便をした後には、内側へ包んだ小便用トイレットペーパー１、３で陰茎についている小便滴と小便水気を拭いて陰茎、指、下着が不潔になって悪臭がすることを防止する。
【００１３】
小便用トイレットペーパーの形態は、従来の形態である四角形及びロール形で、他にも一杖ずつ製造した多角形など多様な形態及び形状に製造することができる。四角形のトイレットペーパー１は、四角形のトイレットペーパー１の中央部に直径または長さが２〜４ｃｍの大きさの孔２を開け、ロールペーパー３は、ロールペーパー３を巻く方向に５〜３０ｃｍごとに直径または長さが２〜４ｃｍの大きさの孔５を開ける。孔２、５の直径または長さが２ｃｍ未満である場合、孔２、５が陰茎に比べて小さすぎて、孔２、５に陰茎を入れることが不自然で不便であり、孔２、５の直径または長さが４ｃｍを超える場合、孔２、５が陰茎に比べて大きすぎて陰茎を小便用トイレットペーパー１、３の孔２、５に入れて小便用トイレットペーパー１、３で陰茎を包むとき陰茎を完全に包む效果が劣る。孔２、５の大きさが陰茎より若干小さくて孔２、５に陰茎を入れる時、孔２、５の縁部分が少し破れても小便用トイレットペーパー１、３を使用するには差し支えがない。ロールペーパー３を巻く方向に５ｃｍ未満ごとに孔５を開けると、トイレットペーパーの使用面積に比べて孔５が多すぎて非效率的で且つ不便であり、ロールペーパー３を巻く方向に３０ｃｍ超過ごとに孔５を開けると、孔５が離れすぎて小便用トイレットペーパー３の使用時、トイレットペーパーのロスが多い。所定の間隔ごとに切取線があるロールペーパー３は、切取線４に沿って切取線４に合わせて孔５を開けると、孔５を開ける時間及び費用を低減することができる。
【００１４】
小便用トイレットペーパー１、３に開ける孔の形状は円形、多角形、一字状、十字状など多様な形状に形成することができ、一字状の孔は縦方向または横方向に開けることができる。
【００１５】
小便用トイレットペーパー１、３の材料及びカラーは、従来のトイレットペーパーと同じ材料及びカラーにする。小便用トイレットペーパー１、３の厚さと強度は従来のトイレットペーパーと同じ厚さと強度にし、孔２、５に陰茎に入れる時、孔２、５が毀損されたり、陰茎が損傷されない程度の厚さと強度にする。
【００１６】
トイレットペーパーの主な製造工程としては、長いロールのペーパー原緞を所定の大きさと長さに切断する工程と；トイレットペーパーにエンボス加工、縞、切取線を形成する加工工程と；ペーパーを一枚ずつ切断する切断工程と；包装工程と；を含む。小便用トイレットペーパー１、３に孔２、５を開ける作業は、トイレットペーパーの製造工程の中の加工工程において、四角形のトイレットペーパー１は、四角形のトイレットペーパー１の中央部に直径または長さが２〜４ｃｍの大きさの孔２を開け、ロールペーパー３は、ロールペーパー３を巻く方向に５〜３０ｃｍごとに直径または長さが２〜４ｃｍの大きさの孔５を開ける。
【００１７】
本発明は上述した実施形態の具体的な内容と用途に限定されなく、特許請求の範囲で請求する本発明の要旨を逸脱することなく、当該発明が属する技術分野において通常の知識を有する者であれば誰でも多様な変形実施が可能なことは勿論、そのような変形は特許請求の範囲内に属するべきである。
（産業上の利用の可能性）
【００１８】
小便用トイレットペーパー１、３は、男性小便用トイレットペーパーとして使用するだけでなく、従来のトイレットペーパーの用途と同じく使用することができ、トイレや所定の場所に小便用トイレットペーパー１、３を備えておいたり、携帯して使用することができる。小便用トイレットペーパー１、３を贈り物用品、広報用品、販促用品としても利用することができる。
【符号の説明】
【００１９】
１    四角形トイレットペーパー
２    四角形トイレットペーパー孔
３    ロールペーパー
４    ロールペーパー切取線
５    ロールペーパー孔
【図１】
2011510737.tif 000003
【図２】
2011510737.tif 000004
【国際調査報告】
2011510737.tif 000005
2011510737.tif 000006
2011510737.tif 000007
2011510737.tif 000008